(57)【特許請求の範囲】
【請求項１】
第１液（Ａ）を収容する第１容器体（１）の口筒部（２）内に、第２液（Ｂ）を収容する第２容器体（６）を密に挿入組付けし、前記第１液（Ａ）が吐出される第１吐出通路（９）を含む通路部分に、通過する前記第１液（Ａ）よりも少量の第２液（Ｂ）が吐出される第２吐出通路（１８）を開口し、前記第１吐出通路（９）の開口部および第２吐出通路（１８）の開口部を密閉する栓片（２４）を有するキャップ体（２０）を、前記第１容器体（１）の口筒部（２）に着脱自在に組付け、
前記第２容器体（６）を、前記第２液（Ｂ）を収容する本体部（７）と、該本体部（７）を前記第１容器体（１）の口筒部（２）に密に挿入組付けする組付き機能部（１２）とから構成し、該組付き機能部（１２）は、前記本体部（７）を密に組付けると共に、合流した前記第１液（Ａ）と前記第２液（Ｂ）の吐出通路を形成する吐出口筒片（１７）を有するものとしたことを特徴とする２液混合吐出容器。
【請求項２】
第１吐出通路（９）と第２吐出通路（１８）の通路面積比率を、第１液（Ａ）と第２液（Ｂ）の、予め設定されている混合体積比率に従って設定した請求項１に記載の２液混合吐出容器。
【請求項３】
第２容器体（６）の本体部（７）は、第１吐出通路（９）を形成する内筒壁（８）と、該内筒壁（８）の外側に外筒壁（１０）を同軸心状に配置して、間に第２液（Ｂ）の収容空間を形成した有底リング筒状に構成され、第２容器体（６）の組付き機能部（１２）は、第１容器体（１）の口筒部（２）に密嵌入すると共に、前記本体部（７）の外筒壁（１０）が密嵌合する密嵌筒片（１５）と、前記内筒壁（８）の上端部が密に嵌入する吐出口筒片（１７）を有し、該吐出口筒片（１７）と内筒壁（８）の嵌合組付き部分に、第２吐出通路（１８）を形成した請求項１または請求項２に記載の２液混合吐出容器。
【請求項４】
キャップ体（２０）の栓片（２４）は、第２容器体（６）の内筒壁（８）の上端部に密嵌入する下部部分と、第２容器体（６）の吐出口筒部（１７）に密嵌入する上部部分とから構成され、前記下部部分と上部部分との境界部に、前記内筒壁（８）の上端面に当接する押下げ段部（２５）を設けた請求項１〜３の何れか１項に記載の２液混合吐出容器。
【請求項５】
第２容器体（６）において、本体部（７）の内筒壁（８）を組付き機能部（１２）の吐出口筒片（１７）に摺動可能に密嵌入させると共に、前記本体部（７）の外筒壁（１０）を組付き機能部（１２）の密嵌筒片（１５）に摺動可能に密嵌入させ、前記密嵌筒片（１５）の内周面に、前記外筒壁（１０）の抜け出しを阻止するストッパー突条（１６）を突設し、前記外筒壁（１０）がストッパー突条（１６）に係止した位置で、前記第２吐出通路（１８）の上部部分が前記内筒壁（８）の上端から露出する構成とした請求項１〜４の何れか１項に記載の２液混合吐出容器。
【請求項６】
第２吐出通路（１８）を、組付き機能部（１２）の吐出口筒片（１７）の内周面下端部に周方向に並列に設けた、複数の縦溝で構成した請求項１〜５の何れか１項に記載の２液混合吐出容器。
【発明の詳細な説明】
【技術分野】
【０００１】
本発明は、分別して収納した第１液と第２液を、吐出使用時に、混合した状態で吐出させる２液混合吐出容器に関するものである。
【背景技術】
【０００２】
洗浄液や消毒液、さらには毛染め液等の二つの内容液を、一つの容器体内に分別して収容して、使用時に混合した状態で吐出させる２液混合吐出容器の従来技術として、例えば特開２００５−０１４９９８号公報（特許文献１）に示された技術が知られている。この特許文献１に示された技術は、一つの容器体内に二つの内容液を密に分別して収容しておき、使用時に容器体内で混合させ、この混合液を吐出させるものとなっている。
【先行技術文献】
【特許文献】
【０００３】
【特許文献１】特開２００５−０１４９９８号公報
【発明の概要】
【発明が解決しようとする課題】
【０００４】
しかしながら、上記した２液混合吐出容器にあっては、内容液の最初の吐出使用に際して、内容液の全てを混合させることになるが、内容液の特性や使用形態によっては、吐出使用時に混合して消費するのが望ましいものがあり、これに答える２液混合吐出容器の出現が望まれていた。
【０００５】
そこで、本発明は、上記した従来技術における要望に応えるべく創案されたもので、二つの内容液を、一つの容器体内に分別して収容すると共に、流下してきた二つの内容液を、一つの吐出口から一緒に吐出することを技術的課題とし、もってこの二つの内容液を吐出時に混合させ、非吐出時には二つの内容液を分別収容することを目的とするものである。
【課題を解決するための手段】
【０００６】
上記課題を解決する本発明の手段の主たる構成は、
第１液を収容する第１容器体の口筒部内に、第２液を収容する第２容器体を密に挿入組付けすること、
第１液が吐出される第１吐出通路を含む通路部分に、通過する第１液よりも少量の第２液が吐出される第２吐出通路を開口すること、
第１吐出通路の開口部および第２吐出通路の開口部を密閉する栓片を有するキャップ体を、第１容器体の口筒部に着脱自在に組付けること、
第２容器体を、第２液を収容する本体部と、この本体部を第１容器体の口筒部に密に挿入組付けする組付き機能部とから構成し、この組付き機能部は、本体部を密に組付けると共に、合流した第１液と第２液の吐出通路を形成する吐出口筒片を有するものとしたこと、にある。
【０００７】
第１液は、第１容器体に、第２液は、第１容器体内に組付けられた第２容器体に、それぞれ独立して収容されているので、キャップ体が装着されて第１吐出通路および第２吐出路の開口部が閉鎖されている状態では、第１液および第２液は、第１容器体内に分別された状態で収容された状態となっている。
【０００８】
キャップ体を離脱させて、第１吐出通路の開口部および第２吐出通路の開口部を開放した状態では、第１吐出通路を含む第１液が通過する通路部分に、通過する第１液よりも少量の第２液が吐出される第２吐出通路が開口しているので、容器を傾ける等して第１液と第２液を流下させて吐出させると、第１液が通過する通路部分で混合し、そのまま容器外に吐出される。
第２容器体を、本体部と組付き機能部とから構成したものにあっては、第２液を収容している本体部の第１容器体への密な組付けを、安定して達成することができ、また合流した第１液と第２液の吐出通路を形成する吐出口筒片を設けたので、混合液を安定して吐出させることができる。
【０００９】
本発明の別の構成は、上記した主たる構成に、第１吐出通路と第２吐出通路の通路面積比率を、第１液と第２液の、予め設定されている混合体積比率に従って設定した、ことを加えたものである。
【００１０】
第１吐出通路と第２吐出通路の通路面積比率を、第１液と第２液の、予め設定されている混合体積比率に従って設定したものにあっては、第１液と第２液は、予め設定された一定の割合で混合され、そのまま吐出されることになる。
【００１３】
また、本発明の別の構成は、上記した主たる構成に、第２容器体の本体部は、第１吐出通路を形成する内筒壁と、この内筒壁の外側に外筒壁を同軸心状に配置して、間に第２液の収容空間を形成した有底リング筒状に構成され、第２容器体の組付き機能部は、第１容器体の口筒部に密嵌入すると共に、本体部の外筒壁が密嵌合する密嵌筒片と、内筒壁の上端部が密に嵌入する吐出口筒片を有し、この吐出口筒片と内筒壁の嵌合組付き部分に、第２吐出通路を形成した、ことを加えたものである。
【００１４】
第２容器体の本体部に内筒壁と外筒壁を設け、第２容器体の組付き機能部に密嵌筒片と吐出口筒片を設けたものにあっては、本体部を組付き機能部に対して密に摺動変位可能とし、これにより第１吐出通路の開口部間近に第２吐出通路の開口部を位置させることを可能としている。また、第２吐出通路を吐出口筒片と内筒壁の嵌合組付き部分に形成したので、第２吐出通路の通路面積の設定変更が容易となる。
【００１５】
また、本発明の別の構成は、上記した主たる構成に、キャップ体の栓片は、第２容器体の内筒壁の上端部に密嵌入する下部部分と、第２容器体の吐出口筒部に密嵌入する上部部分とから構成され、栓片の下部部分と上部部分との境界部に、内筒壁の上端面に当接する押下げ段部を設けた、ことを加えたものである。
【００１６】
栓片に、下部部分と上部部分を設けたものにあっては、容器の閉状態において、第１吐出通路および第２吐出通路の両方を密閉状態とするので、第１液と第２液が不正に混ざり合うことがない状態を、確実に維持することができる。
【００１７】
また、本発明の別の構成は、上記した主たる構成に、第２容器体において、本体部の内筒壁を組付き機能部の吐出口筒片に摺動可能に密嵌入させると共に、本体部の外筒壁を組付き機能部の密嵌筒片に摺動可能に密嵌入させ、密嵌筒片の内周面に、外筒壁の抜け出しを阻止するストッパー突条を突設し、外筒壁がストッパー突条に係止した位置で、第２吐出通路の上部部分が内筒壁の上端から露出する構成とした、ことを加えたものである。
【００１８】
第２容器体を、組付き機能部に対して本体部が、昇降変位可能に組付けると共に、組付き機能部に対して本体部が下降変位限界位置に位置した状態で、第２吐出通路を開口させる構成としたものにあっては、組付き機能部に対する本体部の単純な下降変位により、第２容器体を、第２吐出通路が閉鎖された非使用状態から、第２吐出通路が開放された使用可能状態にすることができる。
【００１９】
また、本発明の別の構成は、上記した主たる構成に、第２吐出通路を、組付き機能部の吐出口筒片の内周面下端部に周方向に並列に設けた、複数の縦溝で構成した、ことを加えたものである。
【００２０】
第２吐出通路を、組付き機能部の吐出口筒片の内周面下端部に設けた、複数の縦溝で構成したものにあっては、第２吐出通路の構成が簡単となると共に、本体部に影響を与えることなく、第２吐出通路の通路面積の変更設定が容易である。
【発明の効果】
【００２１】
本発明は、上記した構成となっているので、以下に示す効果を奏する。
本発明における２液混合吐出容器の主たる構成において、第１液と第２液の吐出動作は、吐出される内容液を混合するので、残りの内容液は混合することなく、分別保持されることになる。
【００２２】
第１吐出通路と第２吐出通路の通路面積比率を、第１液と第２液の、予め設定されている混合体積比率に従って設定したものにあっては、第１液と第２液は、予め設定された一定の割合で混合され、そのまま吐出されることになるので、第１吐出通路に対する第２吐出通路の通路面積比率を、所望する値に設定変更することにより、第１液と第２液の混合比率を自在に設定変更することができることになる。これにより、収容した両液の特性に従って、両液の混合比率の設定変更が容易となる。
【００２３】
第２容器体を、本体部と組付き機能部とから構成したものにあっては、第２液を収容している本体部の第１容器体への密な組付けを、安定して達成することができ、また合流した第１液と第２液の吐出通路を形成する吐出口筒片を設けたので、混合液を安定して吐出させることができるので、第１容器体に対する第２容器体の良好な組付けを確実に得ることができると共に、第１液と第２液の混合液の好ましい吐出状態を得ることができる。
【００２４】
第２容器体の本体部に内筒壁と外筒壁を設け、第２容器体の組付き機能部に密嵌筒片と吐出口筒片を設けたものにあっては、第１吐出通路の開口部間近に第２吐出通路の開口部を位置させることを可能としているので、第１液と第２液との混合を、良好にかつ確実に行わせることができる。また第２吐出通路の通路面積の設定変更が容易となるので、混合される両液の特性に適合させた第２吐出通路の通路面積の設定を正確に達成することができる。
【００２５】
栓片に、下部部分と上部部分を設けたものにあっては、容器の閉状態において、第１液と第２液が不正に混ざり合うことがない状態を、確実に維持することができるので、両液の安全な分別収容を得ることができる。
【００２６】
第２容器体を、組付き機能部に対して本体部が、昇降変位可能に組付けると共に、組付き機能部に対して本体部が下降変位限界位置に位置した状態で、第２吐出通路を開口させる構成としたものにあっては、組付き機能部に対する本体部の単純な下降変位により、第２容器体を非使用状態から使用可能状態にすることができるので、第２容器体の第１容器体への非使用状態から使用可能状態に切換えながらの組付けを、キャップ体を利用して安定して簡単に達成することができる。
【００２７】
第２吐出通路を、組付き機能部の吐出口筒片の内周面下端部に設けた、複数の縦溝で構成したものにあっては、第２吐出通路の構成が簡単となると共に、本体部に影響を与えることなく、第２吐出通路の通路面積の変更設定が簡単であるので、第２容器体の構成を簡単化することができると共に、両液の特性に合わせた第２吐出通路の形成設定が容易となる。
【図面の簡単な説明】
【００２８】
【図１】本発明の一実施形態例の、要部半縦断面図である。
【図２】図１の実施形態例の、非使用状態の第２容器体の半縦断面図である。
【図３】図１の実施形態例の、使用状態の第２容器体の半縦断面図である。
【図４】図３中、Ｘ−Ｘ線に沿って切断矢視した、平断面図である。
【発明を実施するための形態】
【００２９】
以下、本発明の一実施形態例を、図面を参照しながら説明する。
なお、以下の実施形態例の説明では、ボトル状をした第１容器体１の胴部に対して、口筒部２が位置する側を上方とし、その反対側を下方とする。
【００３０】
図１は、キャップ体２０で密閉された閉状態を示す半縦断面図を示すもので、第１液Ａを収容する第１容器体１は、ボトル状に構成されており、その口筒部２は、上端に位置する開口筒片３の外周面に係止条４を突周設し、この開口筒片３の下位に位置して、開口筒片３よりも大きい径寸法となっている部分の外周面に、雄ねじ５を刻設している。
【００３１】
第２容器体６（図１、図２、図３参照）は、第２液Ｂを収容する本体部７と、第２容器体６を第１容器体１に密に組付け固定する組付き機能部１２の組み合わせで構成されている。
【００３２】
本体部７は、第１液Ａの吐出通路である第１吐出通路９を形成する内筒壁８と、この内筒壁８の外側に外筒壁１０を同軸心状に配置して、この内筒壁８と外筒壁１０の間に第２液Ｂの収容空間を形成した有底リング筒状に構成されている。また、外筒壁１０の外周面上端には、シール周条１１が突周設されている。
【００３３】
組付き機能部１２は、第１容器体１の口筒部２内に、密に嵌入組付きする部分と、混合した両液の吐出通路を形成する部分とから成り、密に嵌入組付きする部分は、第１容器体１の口筒部２の上端面上に載置するリング頂壁１３と、このリング頂壁１３の外周端縁に垂下設され、開口筒片３に外嵌する係合筒片１４と、リング頂壁１３の内周端縁に垂下設され、開口筒片３に密嵌入すると共に、内周面下端部に、外筒壁１０のシール周条１１が、上方から抜け出し不能に係止するストッパー突条１６を周設した密嵌筒片１５を有し、混合した両液の吐出通路を形成する部分は、密嵌筒片１５の内周面中央高さ位置の内鍔壁片２１を介して起立連設され、上端開口部をラッパ状に拡径させた吐出口筒片１７で構成され、この吐出口筒片１７の内周面下端には、並列設された複数の縦溝で構成された第２吐出通路１８（特に、図４参照）が形成されている。なお、係合筒片１４の内周面下端には、開口筒片３の係止条４に乗り越え係止する係止機能部が設けられていて、第２容器体６の第１容器体１に対する組付きを強固なものとしている。
【００３４】
この第２容器体６における本体部７と組付き機能部１２の組付けは、内筒部８を吐出口筒片１７に、また外筒壁１０を密嵌筒片１５に、それぞれ下方から密に摺動可能に内嵌させることにより達成されており、本体部７の組付き機能部１２に対する密に摺動しながらの変位の限界位置は、シール周条１１がストッパー突条１６に係止して（特に、図１および図３参照）下降限界位置が、反対に外筒壁１０の上端が内鍔壁片１９に突き当たって（図２参照）上昇限界位置が、それぞれ設定されることになる。
【００３５】
複数の縦溝により形成された第２吐出通路１８は、シール周条１１がストッパー突条１６に上方から係止した本体部７の下降限界位置状態で、内筒壁８の上端縁から上部部分を露出させ（図１と図３参照）、反対に本体部７の上昇限界位置状態で、その全域が内筒壁８で覆われる（図２参照）高さ幅を有して構成されている。それゆえ、第２容器体６は、本体部７が上昇限界位置に位置した状態で、密閉された非使用状態となり、本体部７が下降限界位置に位置した状態で、開封された使用可能状態となる。このため、第２容器体６は、非使用状態では、それ単独で第２液Ｂを密封収納（図２参照）することが可能であり、この第２液Ｂを密封収納した非使用状態の第２容器体６を単品として取扱うことが可能である。
【００３６】
第１液Ａと第２液Ｂが混合される通路部分は、吐出口を形成する吐出口筒片１７の内部であるので、混合された両液は、混合されると直ちに吐出されることになり、吐出筒片１７内に残留することが殆どないので、残留した混合液は、この吐出筒片１７内に付着残留して、第１吐出通路９および第２吐出通路１８内に戻ることはない。
【００３７】
キャップ体２０は、平板状の頂板２３の周端縁から円筒状の組付き筒片２１を垂下設し、この組付き筒片２１の内周面に、口筒部２の雄ねじ５に螺合する雌ねじ２２を設けることによりネジキャップに構成されている。口筒部２の上端面に対向する頂板２３の下面箇所には、第２容器体６のリング頂壁１３に、密に弾接可能なシール条２６が垂下状に周設されており、また頂板２３の下面中央箇所には栓片２４が垂下設されている。この栓片２４は、下部部分を第２容器体６の内筒壁８の上端部分に、上部部分を第２容器体６の吐出口筒片１７にそれぞれ密嵌入可能とし、この下部部分と上部部分との境界部に、内筒壁８の上端面に突き当たり可能な押下げ段部２５を設けている。
【００３８】
キャップ体２０の栓片２４の高さ寸法は、キャップ体２０を第１容器体１に螺合組付けして容器を閉鎖した状態で、内筒壁８および吐出口筒片１７に密嵌入した状態で、押下げ段部２５の内筒壁８に対する突き当りにより、第２容器体６の本体部７を下降限界位置に位置させた使用可能状態に維持する値に設定されている。このキャップ体２０による容器の閉鎖状態では、シール条２６による第２容器体６に対する押下げ作用により、第１容器体１に対する第２容器体６の密な組付きが強固に確保され、また栓片２４による第１吐出通路９および第２吐出通路１８の密閉により、第１液Ａと第２液Ｂの分別された一体収容が維持される。
【００３９】
第１容器体１と第２容器体６とキャップ体２０で構成された容器を組み立てるに際して、非使用状態の第２容器体６を、第１容器体１の開口筒片３に第２容器体６の本体部７を挿入させた状態で、第１容器体１の開口筒片３に対して第２容器体６の係合筒片１４を上方から位置合わせしながら、キャップ体２０を第１容器体１に螺合組付けすることにより、その組み立てが適正にかつ簡単に達成される。すなわち、第１容器体１に対するキャップ体２０の螺合組付きの押下げ力の作用により、第２容器体６の係合筒片１４の第１容器体１の開口筒片３に対するアンダーカット結合を容易に達成することができ、また第２容器体６の内筒壁８および吐出口筒片１７に対する、キャップ体２０の栓片２４の密嵌入、および内筒壁８の上端に対する押下げ段部２５の突き当たりにより、第１吐出通路９および第２吐出通路１８を閉じた状態で、第２容器体６が非使用状態から使用可能状態に切り替えられるので、そのままで容器を格納可能状態とすることができる。
【００４０】
以上、実施形態例に沿って本発明の構成とその作用効果について説明したが、本発明の実施の形態は上記実施形態例に限定されるものではない。例えば、第２吐出通路１８は、吐出口筒片１７に設けた複数の縦溝で構成するのではなく、吐出口筒片１７と内筒壁８の少なくとも一方に設けた、通路を形成可能な切欠きで構成することも可能である。また、第１容器体１をスクイズ容器で構成してもよく、この場合は、第１液Ａの吐出量を調整することが可能である。
【００４１】
なお、本発明による容器は、吐出される第１液Ａと第２液Ｂを混合し、残りの両液の分別収納状態が安定して維持できるので、この残りの両液の不本意な混合を十分に抑制することが可能となる。それゆえ、混合した後、時間の経過に従って品質が変化する恐れのある第１液Ａと第２液Ｂの分別収容に、特に好適に利用することができる。
【産業上の利用可能性】
【００４２】
本発明の２液混合吐出容器は、分別収容した第１液と第２液を重力の利用により混合吐出させるので、専用の混合機能部材を要することがなく、２液混合吐出容器として広い分野での適用を可能とすることができる。
【符号の説明】
【００４３】
１  ；第１容器体
２  ；口筒部
３  ；開口筒片
４  ；係止条
５  ；雄ねじ
６  ；第２容器体
７  ；本体部
８  ；内筒壁
９  ；第１吐出通路
１０；外筒壁
１１；シール周条
１２；組付き機能部
１３；リング頂壁
１４；係合筒片
１５；密嵌筒片
１６；ストッパー突条
１７；吐出口筒片
１８；第２吐出通路
１９；内鍔壁片
２０；キャップ体
２１；組付き筒片
２２；雌ねじ
２３；頂板
２４；栓片
２５；押下げ段部
２６；シール条
Ａ  ；第１液
Ｂ  ；第２液
【図１】
0006448281.tif 000002
【図２】
0006448281.tif 000003
【図３】
0006448281.tif 000004
【図４】
0006448281.tif 000005